(57)【要約】 【課題】  キーの操作が、手回しでは困難な手順であっても、迅速に対応可能な解錠ユニットを提供する。【解決手段】  ボディ２ａの先端には、鍵穴に合致したキー２ｂが回動可能に取り付けられており、ボディ２ａ内には、電動機としてのモータ３とそのモータ駆動用のバッテリ４、及び前記キー２ａが鍵穴に差し込まれたことを検知するセンサ５、解錠対象を選択するスイッチ６等と、メモリに記憶されている操作プログラムに従って前記モータ３でキー２ｂの回動操作を制御するコントロール基盤７が組み込まれている。キー２ｂを鍵穴１に差し込むと、センサ５が働いてキー２ｂが差し込まれたことを認識し、スイッチ６で選択されている解錠対象に応じ、モータ３が駆動し、キー２ｂが操作手順のプログラムに従った回動操作がなされる。【選択図】図１
2005155089.tif 000002
【特許請求の範囲】
【請求項１】
鍵穴に差し込んだキーを操作することによってガラス窓或いは枠体のロックを解除する遊技機用解錠装置にあって、前記キーを備えたキーユニットは電動機を内蔵し、操作手順のプログラムに基づいてキーの操作を前記電動機にて実行可能とした遊技機用解錠装置。
【請求項２】
プログラムには、少なくとも回動方向と回動角度のデータが含まれていて、電動機はそれら回動方向と回動角度のデータを１組とした操作を実行するものである請求項１に記載の遊技機用解錠装置。
【請求項３】
回動角度のデータが１８０度以上である請求項１又は２に記載の遊技機用解錠装置。
【請求項４】
プログラムには、回動方向と回動角度とのデータを一組とした複数組が記憶されており、少なくとも回動方向が相違する組の順で、各組毎の操作を連続して実行するものである請求項１〜３のいずれかに記載の遊技機用解錠ユニット。
【請求項５】
プログラムには、キーの押し込み深さに関するデータが含まれている請求項１〜４のいずれかに記載の遊技機用解錠装置。
【発明の詳細な説明】
【技術分野】
【０００１】
本発明は、遊技機の施錠機構を解除するための解錠装置に関するものである。
尚、ここで言う解錠装置とは、鍵穴を外部に露出させた状態で遊技機に組み付けられていて、施錠機構と連動させた解錠機構と、その解錠機構の鍵穴に差し込んで解錠操作するためのキーを備えたキーユニットとの組み合わせを指す。
【背景技術】
【０００２】
遊技機、例えばパチンコ機は、プレー中に遊技球が釘の間に挟まったり、供給路の途中で詰まりを起こすなどのトラブルに対処したり、定期的なメンテナンスで調整をするために、ガラス窓や枠体を開いて遊技面台の裏側を操作できるようになっている。
そしてそれらのガラス窓や枠体には、特許文献１に記載のように、鍵穴にキーを差し込んで爪付きカムを回動させ、その爪付きカムの爪に引っ掛けてスライドプレートを移動させることによりロックを解除する手動式の解錠装置が装備されている。
この解錠装置は、プレーしている人と人の間から背面より手を伸ばした前屈みの姿勢にて、キーを差し込んで手回しするので作業しづらい。
そのため、特許文献２、或いは特許文献３に記載のように、モータ駆動式の解錠機構や、特許文献４に記載のように、無線を利用して操作するリモートコントロール式の解錠装置が提案されている。
【０００３】
【特許文献１】特開２００２−３０１２５１号公報
【特許文献２】特開昭５−２９３２３６号公報
【特許文献３】実開平８−３３６号公報
【特許文献４】実公平６−２７１１号公報
【発明の開示】
【発明が解決しようとする課題】
【０００４】
モータ駆動式の解錠機構や無線を利用したリモートコントロール式解錠装置は、キーを使用して機械的にロックを外す手動式に比べると、解錠動作が実感として伝わってこないので物足りないし、無線式は信号発信時に手元が狂って隣の解錠装置を誤作動させてしまう虞もある。
又、遊技機には、もともと手動式の解錠ユニットが標準装備されているので、リモートコントロール式の解錠装置を採用するには、大掛かりな改造作業が必要になる。
又、解錠操作が容易になることは大いに歓迎されることではあるとしても、不正行為は年々エスカレートしていて、わずか数秒でロックを外し、ＲＯＭをすり替えるなどの巧妙且つ大胆な手口も見受けられるようになっていることから、今や、解錠装置に課せられている最終の課題は、不正行為の防止に尽きるとまで言われている。
【０００５】
厳重なロックが要求される金庫では、ダイアル式の組み合わせ錠が採用されているが、そのような組み合わせ錠は、ロックを外すのに時間がかかりすぎるので、スピーディな対応が望まれる遊技機にはそぐわない。
このような理由により、遊技機では、ロックを解除する手応えを実感したいが、厳重にロックしなくてはならないし、ロックの解除には迅速性が要求されるので、セキュリティ性が高く、手動式に準じた操作感覚を堪能できる解錠装置が望まれている。
【０００６】
本発明は、キーを電動機で操作することによって、手動ではスピーディな対応が難しい複雑な操作でも瞬時に対応し、その際にキー操作を実感できる解錠装置の提供を目的とする。
【課題を解決するための手段】
【０００７】
本発明は、鍵穴に差し込んだキーを操作することによってガラス窓或いは枠体のロックを解除する遊技機用解錠ユニットであって、その構成は、キーに電動機を内蔵し、操作プログラムに基づいてキーの操作を前記電動機にて実行可能としたことにある。
前記プログラムには、少なくとも回動方向と回動角度のデータを含ませ、電動機はそれら回動方向と回動角度のデータを１単位とした操作を実行するものとすることができ、回動角度のデータを１８０度以上とすることが望ましい。
又前記プログラムには、回動方向と回動角度とのデータを一単位とした複数組を記憶させ、少なくとも回動方向が相違する組の順で、各組毎の操作を連続して実行するものとしたり、キーの押し込み深さに関するデータを含ませることができる。
【発明の効果】
【０００８】
請求項１の発明によれば、キーは電動機により操作されるので、キーを差し込むだけでロックを外すことができる。
特に請求項２の発明によれば、通常、手回しでキーを一気に１８０度以上操作することが難しいことから、何度も回さなくてはロックが外せないようにすることで、仮に複製したキーを持っていても不正操作をする意欲を失わせる。
【０００９】
請求項３の発明によれば、金庫のダイヤル式に匹敵する高いセキュリティが確保され、請求項４の発明によれば、手動では手に負えるレベルを超えていて、諦めざるを得なくする。
【発明を実施するための最良の形態】
【００１０】
本発明に係る遊技機用解錠ユニットを、パチンコ機のシリンダ錠に実施した一例につき図面に基づいて説明する。
図１において、解錠機構はパチンコ機に組み込まれており、鍵穴１のみが基枠の側部から顔を出し、それ以外は外部から一切隔離されていて、既存のシリンダ錠がそのまま利用されている。
２はキーユニットであって、把持部となるボディ２ａの先端には、鍵穴に合致したキー２ｂが回動可能に取り付けられており、ボディ２ａ内には、電動機としてのモータ３とそのモータ駆動用のバッテリ４、及び前記キー２ａが鍵穴に差し込まれたことを検知するセンサ５、解錠対象を選択するスイッチ６等と、メモリに記憶されている操作プログラムに従って前記モータでキー２ｂの回動操作を制御するコントロール基盤７等が組み込まれている。
【００１１】
図２に示すように、キー２ｂを鍵穴１に差し込むと、センサが鍵穴の周囲に接触して作動し、キー２ｂの差し込みが認識される。
キーの差し込みが認識されると、スイッチ６で選択されている解錠対象に応じた回動方向と回動角度のデータを１組としたプログラムに従ってモータ３が駆動し、キー２ｂが回動操作される。
従ってキー２ｂを鍵穴１に差し込めば、回す操作をしなくてもキー２ｂが勝手に回動してロックが自動的に解除され、係員の作業負担が軽減される。
【００１２】
前記実施例は既存の解錠機構とキーとをそのまま利用したものであるから、最低限の改造、即ちキーユニットのみを新規に導入するだけで実現できる。
しかしこの場合、キーを複製されると、これまでと同様に複製キーにてロックを外すことは可能である。
そこで例えば解錠機構の回動軸に減速機構を介在させることにより、キーの回動角度を一気に操作可能な手回しの限度である１８０度以上とすれば、キーを持ち直ししなくてはならないのでそれだけ敬遠される傾向が強くなるし、一回転、或いは複数回転にまで増やせば手回し式では対応しきれずに諦めてしまうであろうことも期待できる。
【００１３】
キーは、手回し式と同様な回動方向と回動角度のデータを１組とした操作のみならず、回動方向と回動角度とのデータを一組とした複数組を、少なくとも回動方向が相違する組の順で、各組毎の操作を連続して実行するようにもできる。
具体例を示せば、右方向に所定角度回動させ、続いて反対方向へ所定の角度回動させ、更に又右方向へ所定の角度回動させる操作を連続して実行するパズル式とする。
このようにすれば、金庫のダイヤル式組み合わせ錠に匹敵した高いセキュリティが確保される。
【００１４】
又、プログラムに、キーの押し込み深さに関するデータを含ませ、キーユニットにモータとプランジャとの２つの電動機を内蔵することで、キーの差し込み深さを解錠要件に追加させることもできる。
具体例としては、キーユニットに設けられているキーを、常態においてボディから約半分し突出させておき、キーが鍵穴に差し込まれた時点で、必要な分だけ繰り出し、所定の差し込み深さを維持させる。
しかる後、所定方向へ所定角度回動して解錠操作を行う。
手探りで差し込み深さを認識することは難しいので、差し込み深さを要件とすることは意義がある。
又、例えば図３に示すように、差し込み前にはキー２ａが半分ほど突出していて（図３のａ）、キーが差し込まれると、内蔵されているプランジャによってキーは浅い差し込み深さの位置まで突出し、その状態で右に回動する（図３のｂ）。所定の角度回動したらキーが更に深い差し込み位置まで突出し、今度は左へ回動される（図３のｃ）といった操作プログラムにすれば、手動では複雑すぎて到底手に負えるものではなくなるため、不正を確実に防止できる。
【００１５】
前記した実施例で採用される解錠機構は、それぞれキーの操作に応じた動作でロックを解除できる機能を有していることが条件となるが、その機能を発揮させる手段については、機械式であろうと電気式であろうと問うものではない。
又、キーの形状も、板状体の側縁に山が刻まれた形態ばかりでなく、円筒形の端縁に山が刻まれた形態なども含むものとし、キーの操作も、回動以外に、例えばキーから放射方向にピンを突出させる方式等も考えられる。
更に、キーユニットには、タイマーを組み込むことも可能であり、例えば、開店直前に専用機器と接続して初期設定を行うことによって動作を可能にし、閉店時になったら自動的にリセットされて動作不能になるようにすれば、万一紛失や盗難にあっても、プログラムが起動しないので、不正使用は防止される。
【００１６】
キーユニットにセンサは必ずしも必要ではなく、押しボタンスイッチの操作でモータを駆動させるようにできるし、その押しボタンスイッチをガラス窓用と枠体用との２つの専用スイッチを用意すれば、それが切り換えスイッチの役目も果たす。
【００１７】
施錠機構や解錠機構は既存の機構を利用するばかりでなく、セキュリティを高めるべく、新たに設計したものを採用しても差し支えなく、モータやプランジャなどといった電動機によりキーを操作して遊技機の解錠機構が動作可能であれば、パチンコ機以外の遊技機、遊技機に付随した玉貸し機、両替機に採用するなど、本発明の趣旨を逸脱しない範囲内において適宜変更することができる。
【００１８】
尚、総ての遊技機やそれら遊技機に付随した機器を同一のキーユニットで操作可能とするには、実施例のように、プログラムを記憶するメモリをキーユニットに内蔵し、一種類の操作プログラムで総ての解錠機構を操作できるよう、解錠機構の操作手順を統一させてしまうのが効果的ではあるが、反面、一つのキーユニットで総ての解錠機構が操作できてしまうとなると、それがかえってマイナス要素にもなる。
そこで、各解錠機構毎に固有の操作手順を設定すると共に、それらの操作手順のプログラムを記憶したメモリを設け、キーが差し込み操作される度に、操作手順のプログラムをキーユニットに転送させる方式とすれば、転送の際にＩＤコードを確認するなどしてよりセキュリティを高めることもできる。
【図面の簡単な説明】
【００１９】
【図１】本発明の解錠装置を示した説明図である。
【図２】キーユニットの操作を示す説明図である。
【図３】キーユニットの動作例を示した説明図である。
【符号の説明】
【００２０】
１・・鍵穴、２・・キーユニット、２ａ・・キー、２ｂ・・ボディ、３・・モータ、４・・バッテリ、５・・センサ、６・・スイッチ、７・・基盤。
【図１】
2005155089.tif 000003
【図２】
2005155089.tif 000004
【図３】
2005155089.tif 000005